(57)【要約】【課題】前方レンズ群の光軸方向へのコンパクト化が図られていると共に、コストアップの抑制されたファインダが設けられたカメラを提供する。【解決手段】被写体光を反射して結像面に導く撮影位置と、撮影画角を確認するために被写体光を接眼レンズ群に導けるように、退避した画角確認位置との間で反射部材の位置を切り替える切替機構を備えた。【選択図】　　　　　図３
2004004323.tif 000002
【特許請求の範囲】
【請求項１】
被写体からの被写体光を所定の結像面に結像して撮影を行うカメラにおいて、
被写体側に向いた共用レンズ群と、前記共用レンズ群を通過した被写体光を反射する反射部材と、前記反射部材で反射した被写体光を結像面に結像させる後方レンズ群とを有する撮影光学系、
前記共用レンズ群と協働してファインダ光学系を構成する接眼レンズ群、および
前記反射部材の位置を、前記共用レンズ群を通過した被写体光を反射して前記後方レンズ群に導く撮影位置と、前記共用レンズ群を通過した被写体光が前記接眼レンズ群に導かれるように退避した画角確認位置との間で切り替える切替機構を備えたことを特徴とするカメラ。
【発明の詳細な説明】
【０００１】
【発明の属する技術分野】
本発明は、被写体からの被写体光を所定の結像面に結像して撮影を行うカメラに関する。
【０００２】
【従来の技術】
近年、レンズ鏡胴を繰り出しあるいは沈胴させることで、ズーミングおよびフォーカシングを行ない、不使用時の光軸方向のコンパクト性の向上が図られたカメラが普及している。
【０００３】
さらに、特表２０００−５１５２５５号公報には、カメラ本体内に反射ミラーを備え、カメラの前面に備えられた前面レンズを含む前方レンズ群を透してカメラ本体内に導かれた被写体光を、この反射ミラーによって前方レンズ群の光軸方向と交わる方向に反射させて固体撮像素子上に導き写真撮影を行う、使用不使用にかかわらず光軸方向のコンパクト化が図られた、ズーミングおよびフォーカシング機能付カメラが提案されている。
【０００４】
【発明が解決しようとする課題】
しかし、この特表２０００−５１５２５５号公報には、光学ファインダの設置位置についての言及がなされておらず、光学ファインダ付のカメラを想定した場合、この光学ファインダの設け方によっては光学系が複雑となりコストがアップするおそれがある。
【０００５】
本発明は、上記事情に鑑み、前方レンズ群の光軸方向へのコンパクト化が図られていると共に、コストアップの抑制された光学ファインダが設けられたカメラを提供することを目的とする。
【０００６】
【課題を解決するための手段】
上記目的を達成するための本発明のカメラは、
被写体からの被写体光を所定の結像面に結像して撮影を行うカメラにおいて、
被写体側に向いた共用レンズ群と、この共用レンズ群を通過した被写体光を反射する反射部材と、この反射部材で反射した被写体光を結像面に結像させる後方レンズ群とを有する撮影光学系、
上記共用レンズ群と協働してファインダ光学系を構成する接眼レンズ群、および
上記反射部材の位置を、上記共用レンズ群を通過した被写体光を反射して上記後方レンズ群に導く撮影位置と、上記共用レンズ群を通過した被写体光が上記接眼レンズ群に導かれるように退避した画角確認位置との間で切り替える切替機構を備えたことを特徴とする。
【０００７】
本発明のカメラでは、カメラ内の前方側に位置する、被写体側に向いたレンズ群である共用レンズ群を通過してきた被写体光は、写真撮影時には反射部材が撮影位置に配置されることで後方レンズ群に導かれ、撮影画角の確認時には反射部材が画角確認位置に配置されることで接眼レンズ群に導かれる。これにより、本発明のカメラでは、共用レンズ群と、共用レンズ群とは異なる方向の光軸を有する後方レンズ群とによって写真撮影が行われるために、共用レンズ群の光軸方向へのコンパクト化が図られていると共に、写真撮影の際に使用されている被写体側を向いた共用レンズ群が、ファインダを覗いて行われる撮影画角確認の際にも共通して使用されていることから、光学系を複雑にすることなくファインダ光学系が構成されている。したがって、本発明のカメラによれば、前方レンズ群の光軸方向へのコンパクト化を図ることができると共に、コストアップを引き起こさずにファインダを設けることができる。
【０００８】
【発明の実施の形態】
以下、本発明のカメラの実施形態について説明する。
【０００９】
図１は、本実施形態の、斜め前方からの外観斜視図である。
【００１０】
図１に示される本実施形態のカメラ１は、ＣＣＤ固体撮像素子を内蔵するズーム機能付デジタルカメラであり、このカメラ１では、フォーカシングおよびズーミングは、レンズ鏡胴の繰り出しあるいは繰り込みによっては行われず、カメラの下方向に配列されたレンズ群を構成するレンズのレンズ間隔を変化させて行われている。
【００１１】
このカメラ１の前面には、前面レンズ１１、前面レンズ１１の左斜め上のフラッシュ調光窓１２、およびフラッシュ調光窓１２の左隣のフラッシュ発光窓１３が備えられている。
【００１２】
このカメラ１の上面には、右端にレリーズボタン１４が備えられている。尚、撮影モードダイヤル２２については後述する。
【００１３】
このカメラ１の左側面の下方には、上から順に、写真撮影によって得られた画像データをパーソナルコンピュータなどに送信したりする際に使用されるＵｎｉｖｅｒｓａｌ　Ｓｅｒｉａｌ　Ｂｕｓ（ＵＳＢ）ケーブルが接続されるＵＳＢ端子１５および外部電源端子１６が示されている。
【００１４】
図２は、本実施形態のカメラの、斜め後方からの外観斜視図である。
【００１５】
図２に示されている本実施形態のカメラ１の背面には、画像を表示する液晶パネル１８、液晶パネルによる画像表示をオン／オフするための液晶パネル起動ボタン１９、図１に示す前面レンズ１１の光軸上に位置するファインダ接眼窓２３ｂ、バリエーションの選択およびズームを行なう際に操作する十字キー２０、液晶パネル１８上にメニューを画像表示させたり、その確定に使用されるメニュー／ＯＫスイッチ２１、このカメラ１に備えられている機能である、‘撮影記録’機能および‘画像データ再生’機能のうちのいずれを選択するかを決定するために操作される機能選択レバー２５、機能選択レバーの軸上に設けられたメインスイッチ２４、および撮影モードダイヤル２２が備えられている。
【００１６】
この撮影モードダイヤル２２は、‘人物撮影’モード、‘風景撮影’モード、‘スポーツ’モードのうちのいずれかを選択するために操作され、これらのモードは、‘撮影記録’機能を選択した場合にのみ有効となっている。機能選択レバー２５は、上側にもっていかれると‘撮影記録’機能が選択され、下側にもっていかれると‘画像データ再生’機能が選択されるようになっている。
【００１７】
図３は、本実施形態のカメラの左側面からの透視図である。
【００１８】
図３には、被写体側に向いた、前面レンズ１１を含む前方レンズ群１１１と、前方レンズ群１１１の光軸上に備えられ、この前方レンズ群１１１と共に光学ファイダを構成する接眼レンズ群１１４とが示されている。また、これら前方レンズ群１１１と接眼レンズ群１１４との間には、前方レンズ群１１１を通過してくる被写体光をカメラ下方に導く位置である撮影位置と、前方レンズ群１１１を通過してくる被写体光を上記接眼レンズ群に導くための退避した位置である撮影画角確認位置との間で切り替えられる反射ミラー１１２も示されている。
【００１９】
また、図３には、上記反射ミラー１１２が上記撮影位置に配置されたことでカメラ下方に導かれた被写体光が通過する、ズーミングあるいはフォーカシングのために複数のレンズで構成された撮影レンズ群１１５、および、撮影レンズ群を通過した被写体光が結像されるＣＣＤ撮像素子１１６も示されている。
【００２０】
図４は、図３に示される反射ミラーの位置の切り替えを行う切替機構の、左後方からの外観斜視図である。
【００２１】
図４に示される切替機構２００は、反射ミラー１１２をホールドするホルダ２０４と、ホルダ２０４を回動自在に軸支するホルダ軸２０５と、モータ２０２と、モータの回転軸に取り付けられたリードスクリュ２０３と、リードスクリュと螺合する貫通孔２０１ａを有する移動体２０１とで構成されており、ホルダ軸２０５とモータは、カメラ本体に固定されている。尚、移動体２０１には、ホルダの端部を挟み、向かい合う一対の板ばね２０６が付着されている。
【００２２】
図５は、図４に示される切替機構を左側から見た場合の図である。
【００２３】
図５（ａ）には、切替機構２００が反射ミラー２０４を撮影画角確認位置に配置させている様子が示され、図５（ｂ）には、切替機構２００が反射ミラー２０４を撮影位置に配置させている様子が示されている。
【００２４】
以下、図５を参照しながら切替機構２００の動作について説明する。
【００２５】
図５には、ホルダ２０４の端部２０４ａが、移動体２０１の側面に付着されている一対の板ばね２０６の間に挟みこまれている様子が詳しく示されている。尚、前述したように、モータ２０２およびホルダ軸２０５はカメラ本体に固定されている。
【００２６】
ここで、モータ２０２が正回転すると、モータ軸に取り付けられたリードスクリュ２０３も回転する。移動体２０１は、リードスクリュ２０３と螺合していると共に回転止めがなされているため、リードスクリュ２０３の回転により、カメラの上下方向に移動する。この移動体２０１は、モータ２０２の回転に伴い、所定の上昇位置（図５（ｂ）参照）あるい所定の下降位置（図５（ａ）参照）のいずれかに移動させられ、さらにホルダ軸２０５はカメラ本体に固定されていることから、一対の板ばね２０６に挟まれているホルダ２０４は、撮影位置あるいは撮影画角確認位置に反射ミラー１１２を配置させることとなる。尚、移動体２０１のカメラ本体に対する絶対位置およびホルダ２０４の絶対位置は、図示しない複数のフォトセンサによって監視されている。尚、図５（ａ）に示される位置が、切替機構２００の移動体２０１のホームポジションである。
【００２７】
ここで、本実施形態のカメラ１の撮影動作を説明しながら、この切替機構２００についてさらに詳しく説明する。
【００２８】
以下では、‘撮影記録’機能における‘人物撮影’モードを選択した場合について説明し、‘撮影記録’機能において選択可能なその他のモードについては同じ説明となるので省略し、‘画像データ再生’機能についての説明は、本発明と無関係であるので省略する。
【００２９】
図２に示されるメインスイッチ２４を投入して、機能選択レバー２５を‘撮影記録’の方（上側）に持っていき、撮影モードダイヤル２２を操作して‘人物撮影’モードを選択すると、反射ミラーはホームポジションである撮影画角確認位置に配置されているため、被写体光は接眼レンズ群に導かれる。これにより、ファインダ接眼窓２３ｂからは、前面レンズ１１を含む前方レンズ群１１１を透して撮影画角内の被写体を確認することができる。ここで、レリーズボタン１４を押下すると、モーター２０２が回転し、切替機構２００の移動体２０１が図５（ｂ）に示される位置まで上昇させられ、反射ミラー１１２は、前方レンズ群１１１を通過してくる被写体光をカメラ下方の撮影レンズ群１１５に導き、これにより、ＣＣＤ撮像素子上では被写体光が結像されて写真撮影が行われる。その後、切替機構２００は、移動体２０１を再び図５（ａ）に示されるホームポジションに移動させる。
【００３０】
図６は、レリーズボタンが押下されると実行されるルーチンのフローチャートである。
【００３１】
ステップＳ１では、切替機構２００の移動体２０１が図５（ｂ）に示される所定の位置まで上昇したか、すなわち反射ミラ１１２ーが被写体光を撮影レンズ群１１５に導くことのできる撮影位置に配置されているか否かが判定される。
【００３２】
ステップＳ１において、配置されていないと判定されると、ステップＳ２に進み、モータ２０２に回転指示が出され、配置されていると判定されると、ステップＳ３に進む。
【００３３】
ステップＳ３では、ＣＣＤ撮像素子における露光が終了した否かが判定され、露光が終了していないと判定されるとステップＳ１に戻り、露光が終了したと判定されると移動体２０１をホームポジションに戻すため、すなわち反射ミラー１１２を撮影画角確認位置に配置するためにモータに回転指示が出される。その後、ステップＳ５に進み、移動体２０１がホームポジションにまで下降したか否かが判定され、下降していないと判定されるとステップＳ４に戻り、下降したと判定されるとこのルーチンを終了する。
【００３４】
図７は、反射ミラーの代わりにプリズムを採用した切替機構の、右斜め前方からの外観斜視図である。
【００３５】
図７には、図３において採用されている反射ミラー１１２の代わりにプリズム１２２が採用された場合が示されており、実線で示されるプリズムの配置が、前述した撮影位置に相当し、点線で示されるプリズムの配置が、前述した撮影画角確認位置に相当する。
【００３６】
図８は、図７に示される態様の切替機構を上面から見た図である。
【００３７】
図８には、切替機構２１０の構成要素である、プリズムをホールドするホルダー２０８が示されており、このホルダ２０８は、図７に示されるプリズムの上端部をホールドしたものである。このホルダー２０８には、カメラの左右方向に伸びる軸２０５が挿通されていると共に、そのホルダー２０８の上面には、突起物２０８ａが上面に向かって立設されている。尚、軸２０５は、カメラ本体に対して固定されている。
【００３８】
また、図８には、図５において説明したものと同じ種類の、モータ２０２、板ばね２０６が付着された移動体２０１、リードスクリュ２０３が示されているが説明は省略する。
【００３９】
この態様では、上記突起物２０８ａを一対の板ばね２０６のうちのいずれか一方によって引っ掛けて、モータの回転によってホルダ２０８をカメラの左右方向にある、撮影位置に相当する位置（図８の下方）と、撮影画角確認位置（図８の上方）との間でプリズムの配置が切り替えられる。
【００４０】
この態様での、レリーズボタンの押下によって実行されるルーチンは、図６に示されているルーチンと同じとなるため説明は省略する。
【００４１】
本実施形態のカメラ１では、前方レンズ群１１１と、前方レンズ群１１１とは異なる方向の光軸を有する撮影レンズ群１１５とによって写真撮影が行われることで、前方レンズ群の光軸方向へのコンパクト化が図られていると共に、写真撮影の際に使用されている被写体側を向いた前方レンズ群１１１が、ファインダ接眼窓２３ｂを覗いて行われる撮影画角確認の際にも共通して使用可能であることから、光学系を複雑にすることなくファインダ光学系が構成されている。したがって、本実施形態のカメラ１によれば、前方レンズ群の光軸方向へのコンパクト化を図ることができると共に、コストアップの抑制されたファインダを設けることができる。
【００４２】
尚、本実施形態では、デジタルカメラを例に挙げて説明しているが、本発明が、ロール状の写真フィルムあるいはインスタント写真フィルムに撮影を行うタイプのカメラにおいてなされてるものであってもよく、また、被写体光の屈曲がカメラの下方ではなくカメラの左方向あるいは右方向にされるものであってもよい。
【００４３】
【発明の効果】
以上説明したように、本発明のカメラによれば、前方レンズ群の光軸方向へのコンパクト化を図ると共に、コストアップの抑制されたファインダを設けることができる。
【図面の簡単な説明】
【図１】本実施形態の、斜め前方からの外観斜視図である。
【図２】本実施形態のカメラの、斜め後方からの外観斜視図である。
【図３】本実施形態のカメラの左側面からの透視図である。
【図４】図３に示される反射ミラーの位置の切り替えを行う切替機構の、左後方からの外観斜視図である。
【図５】図４に示される切替機構を左側から見た場合の図である。
【図６】レリーズボタンが押下された際に実行されるルーチンのフローチャートである。
【図７】反射ミラーの代わりにプリズムを採用した切替機構の、右斜め前方からの外観斜視図である。
【図８】図７に示される態様の切替機構を上面から見た図である。
【符号の説明】
１　カメラ
１１　前面レンズ
１２　フラッシュ調光窓
１３　フラッシュ発光窓
１４　レリーズボタン
１５　ＵＳＢ端子
１６　外部電源端子
１８　液晶パネル
１９　液晶パネル起動ボタン
２０　十字キー
２１　メニュー／ＯＫスイッチ
２２　撮影モードダイヤル
２３ｂ　ファインダ接眼窓
２４　メインスイッチ
２５　機能選択レバー
１１１　前方レンズ群
１１２　反射ミラー
１１４　接眼レンズ群
１１５　撮影レンズ群
１１６　ＣＣＤ撮像素子
１２２　プリズム
２００、２１０　切替機構
２０１　移動体
２０１ａ　貫通孔
２０２　モータ
２０３　リードスクリュ
２０４、２０８　ホルダ
２０５　軸
２０６　板ばね
２０８ａ　突起物
【図１】
2004004323.tif 000003
【図２】
2004004323.tif 000004
【図３】
2004004323.tif 000005
【図４】
2004004323.tif 000006
【図５】
2004004323.tif 000007
【図６】
2004004323.tif 000008
【図７】
2004004323.tif 000009
【図８】
2004004323.tif 000010